(57)【要約】【課題】対象とする粒子の分取純度を向上させることが可能な粒子分取装置、粒子分取方法及びプログラムを提供する。【解決手段】粒子分取装置に、流体ストリームを発生するオリフィスから吐出された液滴の少なくとも一部に電荷を付与する荷電部と、この荷電部を制御する第１荷電制御部とを設ける。そして、第１荷電制御によって、オリフィスから吐出された液滴のうち、粒子非含有液滴に電荷が付与されるように、荷電部を制御する。【選択図】図１
2015078927.tif 000002
【特許請求の範囲】
【請求項１】
流体ストリームを発生するオリフィスから吐出された液滴の少なくとも一部に電荷を付与する荷電部と、
粒子非含有液滴に電荷が付与されるよう前記荷電部を制御する第１荷電制御部と、
を有する粒子分取装置。
【請求項２】
前記オリフィスに連通し、少なくともシース液が通流する流路に光を照射し、該光照射により生じる散乱光を検出する散乱光検出部を有し、
前記第１荷電制御部は、前記散乱光検出部における検出結果に基づいて、前記液滴に粒子が含まれているか否かを判断する請求項１に記載の粒子分取装置。
【請求項３】
前記散乱光が前方散乱光である請求項２に記載の粒子分取装置。
【請求項４】
前記第１荷電制御部は、前記散乱光の強度が予め設定された閾値以下である場合に、前記液滴に電荷が付与されるよう前記荷電部を制御する請求項２に記載の粒子分取装置。
【請求項５】
前記第１荷電制御部は、特定領域及び／又は特定時間において、前記散乱光が検出されなかった場合に、前記液滴に電荷が付与されるよう前記荷電部を制御する請求項２に記載の粒子分取装置。
【請求項６】
更に、粒子含有液滴に電荷が付与されるよう前記荷電部を制御する第２荷電制御部を有し、前記第１荷電制御部による制御と、前記第２荷電制御部による制御が、任意に選択可能となっている請求項１に記載の粒子分取装置。
【請求項７】
流体ストリームを発生するオリフィスから吐出された液滴のうち、粒子非含有液滴に対して選択的に電荷を付与する工程を有する粒子分取方法。
【請求項８】
更に、流体ストリームを発生するオリフィスから吐出された液滴のうち、粒子含有液滴に対して選択的に電荷を付与する工程を有する請求項７に記載の粒子分取方法。
【請求項９】
前記粒子非含有液滴に電荷を付与する工程の後、前記粒子含有液滴に電荷を付与する工程を行う請求項８に記載の粒子分取方法。
【請求項１０】
前記粒子非含有液滴に電荷を付与する工程と、前記粒子含有液滴に電荷を付与する工程とを、任意に選択して行う請求項８に記載の粒子分取方法。
【請求項１１】
流体ストリームを発生するオリフィスから吐出された液滴のうち、粒子非含有液滴に対して選択的に電荷を付与する機能を
粒子分取装置の荷電制御部に実行させるプログラム。
【発明の詳細な説明】
【技術分野】
【０００１】
本技術は、粒子分取装置、粒子分取方法及びプログラムに関する。より詳しくは、光学的手法などにより分析した結果に基づいて粒子を分別して回収する技術に関する。
【背景技術】
【０００２】
従来、細胞、微生物及びリポソームなどの生体関連微小粒子の分析には、フローサイトメトリー（フローサイトメータ）を用いた光学的測定方法が利用されている。フローサイトメータは、フローセルやマイクロチップなどに形成された流路内を通流する微小粒子に光を照射し、個々の微小粒子から発せられた蛍光や散乱光を検出して、分析する装置である。
【０００３】
フローサイトメータには、分析結果に基づいて、特定の特性を有する微小粒子のみを分別して回収する機能を備えたものもあり、特に細胞を分取対象とした微小粒子装置は「セルソータ」と呼ばれている。このセルソータでは、一般に、振動素子などによりフローセルやマイクロチップに振動を与えることにより、その流路から排出される流体を液滴化している（特許文献１，２参照）。
【０００４】
流体から分離された液滴は、プラス（＋）又はマイナス（−）の電荷が付与された後、偏向板などによりその進行方向が変更され、所定の容器などに回収される。また、従来、このセルソータによる分取機能を利用して、ＰＣＲ（Polymerase Chain Reaction：ポリメラーゼ連鎖反応）法などに用いられる基材の各反応部位に、特定の細胞を１つずつ分配する技術も提案されている（特許文献３参照）。
【先行技術文献】
【特許文献】
【０００５】
【特許文献１】特表２００７−５３２８７４号公報
【特許文献２】特開２０１０−１９０６８０号公報
【特許文献３】特表２０１０−５１０７８２号公報
【発明の概要】
【発明が解決しようとする課題】
【０００６】
しかしながら、前述した従来の粒子分取装置を用いて、回収容器や基材の各反応部位に特定の粒子を分配した場合、他の粒子や異物が混入し、純度が低下するという問題点がある。このような理由から、高純度で特定の粒子を分取可能な粒子分取装置が求められている。
【０００７】
そこで、本開示は、対象とする粒子の分取純度を向上させることが可能な粒子分取装置、粒子分取方法及びプログラムを提供することを主目的とする。
【課題を解決するための手段】
【０００８】
本開示に係る粒子分取装置は、流体ストリームを発生するオリフィスから吐出された液滴の少なくとも一部に電荷を付与する荷電部と、粒子非含有液滴に電荷が付与されるよう前記荷電部を制御する第１荷電制御部と、を有する。
前記オリフィスに連通し、少なくともシース液が通流する流路に光を照射し、該光照射により生じる散乱光を検出する散乱光検出部を有している場合、前記第１荷電制御部は、前記散乱光検出部における検出結果に基づいて、前記液滴に粒子が含まれているか否かを判断することができる。
その場合、前記散乱光は、例えば前方散乱光である。
また、前記第１荷電制御部は、前記散乱光の強度が予め設定された閾値以下である場合に、前記液滴に電荷が付与されるよう前記荷電部を制御することができる。
又は、前記第１荷電制御部は、特定領域及び／又は特定時間において、前記散乱光が検出されなかった場合に、前記液滴に電荷が付与されるよう前記荷電部を制御してもよい。
本開示に係る粒子分取装置は、更に、粒子含有液滴に電荷が付与されるよう前記荷電部を制御する第２荷電制御部を有していてもよく、その場合、前記第１荷電制御部による制御と、前記第２荷電制御部による制御を、任意に選択可能とすることができる。
【０００９】
本開示に係る粒子分取方法は、流体ストリームを発生するオリフィスから吐出された液滴のうち、粒子非含有液滴に対して選択的に電荷を付与する工程を有する。
本開示の粒子分取方法は、更に、流体ストリームを発生するオリフィスから吐出された液滴のうち、粒子含有液滴に対して選択的に電荷を付与する工程を有していてもよい。
その場合、前記粒子非含有液滴に電荷を付与する工程の後、前記粒子含有液滴に電荷を付与する工程を行ってもよい。
又は、前記粒子非含有液滴に電荷を付与する工程と、前記粒子含有液滴に電荷を付与する工程とを、任意に選択して行うこともできる。
【００１０】
本開示に係るプログラムは、流体ストリームを発生するオリフィスから吐出された液滴のうち、粒子非含有液滴に対して選択的に電荷を付与する機能を粒子分取装置の荷電制御部に実行させる。
【発明の効果】
【００１１】
本開示によれば、他の粒子や異物の混入を防止し、対象とする粒子を純度よく分取することができる。なお、ここに記載された効果は必ずしも限定されるものではなく、本開示中に記載されたいずれかの効果であってもよい。
【図面の簡単な説明】
【００１２】
【図１】本開示の実施形態に係る粒子分取装置の構成例を模式的に示す図である。
【図２】横軸に時間をとり、縦軸に前方散乱光強度をとって、「粒子含有」又は「粒子非含有」の判断手法を示す図である。
【図３】横軸に時間をとり、縦軸に前方散乱光強度をとって、「粒子含有」又は「粒子非含有」の判断手法を示す図である。
【発明を実施するための形態】
【００１３】
以下、本開示を実施するための形態について、添付の図面を参照して詳細に説明する。なお、本開示は、以下に示す各実施形態に限定されるものではない。
【００１４】
［装置の全体構成］
図１は本開示の実施形態に係る粒子分取装置の構成例を模式的に示す図である。本実施形態の粒子分取装置１は、光学的手法などにより分析した結果に基づいて粒子を分別して回収するものであり、図１に示すように、マイクロチップ２、振動素子３、荷電部４、荷電制御部７、偏向板５ａ，５ｂなどを備えている。
【００１５】
［粒子について］
本実施形態の粒子分取装置１により分析され、分取される粒子には、細胞、微生物及びリボゾームなどの生体関連微小粒子、又はラテックス粒子、ゲル粒子及び工業用粒子などの合成粒子などが広く含まれる。
【００１６】
生体関連微小粒子には、各種細胞を構成する染色体、リボゾーム、ミトコンドリア、オルガネラ（細胞小器官）などが含まれる。また、細胞には、植物細胞、動物細胞及び血球系細胞などが含まれる。更に、微生物には、大腸菌などの細菌類、タバコモザイクウイルスなどのウイルス類、イースト菌などの菌類などが含まれる。この生体関連微小粒子には、核酸や蛋白質、これらの複合体などの生体関連高分子も包含され得るものとする。
【００１７】
一方、工業用粒子としては、例えば有機高分子材料、無機材料又は金属材料などで形成されたものが挙げられる。有機高分子材料としては、ポリスチレン、スチレン・ジビニルベンゼン、ポリメチルメタクリレートなどを使用することができる。また、無機材料としては、ガラス、シリカ及び磁性材料などを使用することができる。金属材料としては、例えば金コロイド及びアルミニウムなどを使用することができる。なお、これらの粒子の形状は、一般には球形であるが、非球形であってもよく、また大きさや質量なども特に限定されない。
【００１８】
［マイクロチップ２］
マイクロチップ２には、分取対象とする粒子を含む液体（サンプル液）が導入されるサンプルインレット２２、シース液が導入されるシースインレット２３、詰まりや気泡を解消するための吸引アウトレット２４などが形成されている。このマイクロチップ２では、サンプル液は、サンプルインレット２２に導入され、シースインレット２３に導入されたシース液と合流して、サンプル流路に送液され、サンプル流路の終端に設けられたオリフィス２１から吐出される。
【００１９】
また、サンプル流路には、吸引アウトレット２４に連通する吸引流路が接続されている。この吸引流路は、サンプル流路に詰まりや気泡が生じた際に、サンプル流路内を負圧にして流れを一時的に逆流させて詰まりや気泡を解消するためのものであり、吸引アウトレット２４には真空ポンプなどの負圧源が接続される。
【００２０】
マイクロチップ２は、ガラスや各種プラスチック（ＰＰ，ＰＣ，ＣＯＰ、ＰＤＭＳなど）により形成することができる。マイクロチップ１の材質は、後述する光検出部から照射される測定光に対して透過性を有し、自家蛍光が少なく、波長分散が小さいために光学誤差が少ない材質とすることが望ましい。
【００２１】
マイクロチップ２の成形は、ガラス製基板のウェットエッチングやドライエッチングによって、またプラスチック製基板のナノインプリントや射出成型、機械加工によって行うことができる。マイクロチップ２は、例えばサンプル流路などを成形した基板を、同じ材質又は異なる材質の基板で封止することで形成することができる。
【００２２】
［振動素子３］
振動素子３は、マイクロチップ２の一部に当接配置又はマイクロチップ２の内部構成として設けられている。振動素子３は、マイクロチップ２を所定周波数で振動させることによりシース液に微小な振動を与え、オリフィス２１から吐出される流体（サンプル液及びシース液）を液滴化して、流体ストリーム（液滴の流れ）Ｓを発生させるものである。この振動素子３としては、ピエゾ素子などを用いることができる。
【００２３】
［荷電部４］
荷電部４は、オリフィス２１から吐出される液滴に、正又は負の電荷を付与するものであり、電荷用電極４１及びこの電極４１に所定の電圧を印加する電圧源（電圧供給部４２）などで構成されている。荷電用電極４１は、流路中を通流するシース液及び／又はサンプル液に接触配置されて、シース液及び／又はサンプル液に電荷を付与するものであり、例えばマイクロチップ２の荷電電極インレットに挿入される。
【００２４】
なお、図１では、荷電用電極４１をサンプル液に接触するように配置しているが、本開示はこれに限定されるものではなく、シース液に接触するように配置してもよく、サンプル液及びシース液の両方に接触するように配置してもよい。ただし、分取対象の細胞への影響を考慮すると、荷電用電極４１は、シース液に接触するように配置することが望ましい。
【００２５】
このように、所望の液滴に正又は負の電荷を荷電して帯電させることにより、任意の液滴を、電気的な力により分離することが可能となる。また、荷電部４による荷電のタイミングと、振動素子３への供給電圧とを同期させることにより、任意の液滴のみを帯電させることが可能となる。
【００２６】
［偏向板５ａ，５ｂ］
偏向板５ａ，５ｂは、液滴に付与された電荷との間に作用する電気的な力によって、流体ストリームＳ中の各液滴の進行方向を変更し、所定の回収容器６ａ，６ｂに誘導するものであり、流体ストリームＳを挟んで対向配置されている。この偏向板５ａ，５ｂには、例えば通常使用される電極を使用することができる。
【００２７】
偏向板５ａ，５ｂには、それぞれ正又は負の異なる電圧が印可され、これにより形成される電界内を荷電された液滴が通過すると、電気的な力（クーロン力）が発生し、各液滴はいずれかの偏向板５ａ，５ｂの方向に引き寄せられる。粒子分取装置１では、液滴への荷電の正負や電荷量を変化させることにより、電界により引き寄せられる液滴の流れ（サイドストリーム）の方向を制御することができるため、相互に異なる複数の粒子を同時に分取することが可能となる。また、粒子含有液滴の分取と、粒子非含有液滴の分取を、同時に又は連続して行うことができる。
【００２８】
［回収容器６ａ，６ｂ］
回収容器６ａ，６ｂは、偏向板５ａ，５ｂの間を通過した液滴を回収するものであり、実験用として汎用のプラスチック製チューブやガラスチューブの他、複数の反応部位（ウェル）が形成された基材などを使用することができる。これらの回収容器６ａ，６ｂは、装置内に交換可能に配置されるものであることが好ましい。
【００２９】
例えば、図１に示すように、チューブ状の回収容器６ａと、複数の回収部位（反応部位）を備える回収容器（基板）６ｂとを用いた場合、回収容器６ａを非目的の粒子を受け入れるものとし、回収容器６ｂの各回収部位に特定の粒子を１つずつ分配することが可能となる。その場合、回収容器６ａには、回収した液滴の排液路が連結されていてもよい。
【００３０】
なお、粒子分取装置１に配置される回収容器の数や種類は、特に限定されるものではない。また、回収容器を３個以上配置する場合には、各液滴が、偏向板５ａ，５ｂとの間の電気的な作用力の有無及びその大小によっていずれか１つの回収容器に誘導され、回収されるようにすればよい。
【００３１】
［荷電制御部７］
荷電制御部７は、液滴への電荷の付与を制御するものであり、粒子非含有液滴に所定の電荷が付与されるよう荷電部を制御する「粒子非含有液滴モード」を実行する第１荷電制御部を備えている。各液滴について「粒子含有」及び「粒子非含有」を判断する方法は、特に限定されるものではないが、例えば後述する光検出部で測定した散乱光の検出結果に基づいて判断することができる。
【００３２】
散乱光の検出結果に基づいて判断する場合、荷電制御部７は、散乱光の強度が予め設定された閾値以下であるときに「粒子非含有」と判断し、液滴に電荷が付与されるように電圧供給部４２を制御して、荷電電極４１に電圧を印加する。そのとき、第１荷電制御部は、特定領域及び／又は特定時間において、散乱光が検出されなかった又は散乱光の強度が閾値以下であった場合を、「粒子非含有」と判断し、液滴に電荷が付与されるよう荷電部を制御することが好ましい。これにより、粒子や異物の混入のない液滴を、回収容器６ａや回収容器６ｂの各回収部位（反応部位）に回収することができる。
【００３３】
また、荷電制御部７には、粒子含有液滴に所定の電荷が付与されるよう荷電部を制御する「粒子含有液滴モード」を実行する第２荷電制御部が設けられていてもよい。この「粒子含有液滴モード」は、通常の粒子分取モードであり、例えば後述する検出部で検出された蛍光や散乱光に基づいて取得対象の粒子か否かを判定し、第２荷電制御部によって電圧供給部４２を制御し、荷電電極４１に所定の電圧を印加する。
【００３４】
本実施形態の粒子分取装置１は、荷電制御部７において「粒子非含有液滴モード」を実行するか、「粒子含有液滴モード」を実行するかについてを、ユーザーが任意に選択できるようにしてもよい。又は、第１荷電制御部により「粒子非含有液滴モード」を実行した後、第２荷電制御部により「粒子含有液滴モード」を実行するように、予め設定されていてもよい。
【００３５】
［光検出部］
更に、本実施形態の粒子分取装置１には、例えばサンプル流路の所定部位に光（測定光）を照射し、サンプル流路を通流する粒子から発生する光（測定対象光）を検出する光検出部（図示せず）が設けられている。光検出部は、従来のフローサイトメトリーと同様に構成することができる。具体的には、レーザー光源と、粒子に対してレーザー光を集光・照射する集光レンズやダイクロイックミラー、バンドパスフィルターなどからなる照射系と、レーザー光の照射によって粒子から発生する測定対象光を検出する検出系とによって構成される。
【００３６】
検出系は、例えばＰＭＴ（Photo Multiplier Tube）や、ＣＣＤやＣＭＯＳ素子などのエリア撮像素子によって構成される。なお、照射系と検出系は同一の光学経路により構成されていても、別個の光学経路により構成されていてもよい。また、光検出部の検出系により検出される測定対象光は、測定光の照射によって粒子から発生する光であって、例えば、前方散乱光や側方散乱光、レイリー散乱やミー散乱などの各種散乱光や蛍光などとすることができる。
【００３７】
これらの測定対象光の中でも前方散乱光は、細胞の表面積に比例して強度が変化し、粒子の大きさを評価する指標となることから、一般的な粒子分取装置はその検出系を備えている。本実施形態の粒子分取装置１は、前述した荷電制御部７での「粒子含有」又は「粒子非含有」の判断に、粒子を分析するために設けられている検出系の検出結果を利用することができる。
【００３８】
［動作］
次に、本実施形態の粒子分取装置１の動作、即ち、粒子分取装置１を用いて粒子を分取する方法について、ユーザーにより「粒子非含有液滴モード」が選択された場合と、「粒子含有液滴モード」が選択された場合に分けて説明する。
【００３９】
＜粒子非含有液滴モード＞
「粒子非含有液滴モード」は、一部の又は全ての回収容器や基材の反応部位に、粒子や異物を含まない液滴を選択的に回収するモードである。このモードは、例えば特定の細胞などの生体関連微小粒子の分離回収を行う場合に、回収容器や基材の反応部位に、生体関連微小粒子の乾燥などを防ぐための保存液を分配する際に使用する。その際用いる保存液としては、生理食塩水などが挙げられ、一般にはシース液が用いられる。
【００４０】
「粒子非含有液滴モード」を実行する場合は、マイクロチップ２にシース液のみを導入し、通流させる。そして、光検出部により、例えば散乱光の検出を行い、その結果に基づいて、オリフィス２１から排出される液滴が、「粒子含有液滴」か「粒子非含有液滴」かを判断する。「粒子含有」及び「粒子非含有」を判断する方法は、特に限定されるものではないが、例えば散乱光により判断する場合は、閾値を超える信号を、特定期間検出しなかった場合を「粒子非含有」とする方法を適用することができる。
【００４１】
図２及び図３は横軸に時間をとり、縦軸に前方散乱光強度をとって、「粒子含有」又は「粒子非含有」の判断手法を示す図である。光検出部により図２に示すような検出結果が得られた場合、荷電制御部７は、予め設定された判断時間７０ａの間に、検出された散乱光の強度が、予め設定された閾値を超えた場合は、粒子や異物が混入していると判断する。そして、荷電制御部７の第１荷電制御部により、この検出範囲に相当する液滴は荷電しないように電圧供給部４２を制御するか、又は、廃棄用容器に誘導されるように、電圧供給部４２を制御し、荷電電極４１に所定の電圧を印加する。
【００４２】
一方、予め設定された判断時間７０ｂの間に、検出された散乱光の強度が、予め設定された閾値を超えなかった場合は、「粒子非含有」と判断し、荷電制御部７の第１荷電制御部により電圧供給部４２を制御し、荷電電極４１に所定の電圧を印加する。これにより、荷電された液滴は、偏向板５ａ，５ｂによりその進行方向が変更され、所定の回収容器６ａや回収容器６ｂの各回収部位（反応部位）に誘導され、回収される。
【００４３】
また、図３に示すように、画像処理を用いて、特定領域（判断領域７１ａ,７１ｂ）に散乱光のピークがあるか否かを確認し、その結果により、「粒子含有」又は「粒子非含有」を判断することもできる。具体的には、予め設定された判断領域７１ａに散乱光のピークが存在していた場合は「粒子含有」と判断し、判断領域７１ｂに散乱光のピークが存在しなかった場合は「粒子非含有」と判断する。そして、荷電制御部７の第１荷電制御部は、この判断結果に基づいて、荷電部４を制御する。
【００４４】
これに対して、「粒子含有液滴モード」は、光検出部の検出結果に基づいて、特定の粒子を分離し回収する通常の粒子分取モードである。本実施形態の粒子分取装置１により「粒子含有液滴モード」を実行する場合は、サンプルインレット２２に分取対象の粒子を含むサンプル液が、シースインレット２３にシース液が、それぞれ導入される。サンプル液及びシース液の層流は、光検出部において、粒子の光学特性の検出と同時に、粒子の送流速度（流速）及び粒子の間隔などの検出が行われる。
【００４５】
検出された粒子の光学特性、流速及び間隔などは、電気的信号に変換されて装置の全体制御部（図示せず）に出力される。そして、全体制御部では、光検出部で検出された蛍光や散乱光に基づいて取得対象の粒子か否かを判定し、その判定結果に基づいて、第２荷電制御部が電圧供給部４２を制御し、荷電電極４１に所定の電圧を印加する。
【００４６】
その後、サンプル液及びシース液の層流は、オリフィス２１からマイクロチップ２の外の空間に排出される。その際、振動素子３によりオリフィス２１を振動させ、排出される流体を液滴化する。このとき、荷電されている各液滴は、偏向板５ａ，５ｂによりその進行方向が変更され、所定の回収容器や反応部位に誘導され、回収される。
【００４７】
前述した「粒子非含有液滴モード」と「粒子含有液滴モード」とは、ユーザーが任意に選択することが可能であるが、「粒子非含有液滴モード」を実行した後、「粒子含有液滴モード」を実行するように、予め設定されていてもよい。又は、「粒子非含有液滴モード」と「粒子含有液滴モード」とを、交互に行うように設定されていてもよい。
【００４８】
前述した「粒子非含有液滴モード」は、オリフィスから吐出された液滴のうち、粒子非含有液滴に対して選択的に電荷を付与する機能を実現するためのプログラムを作成し、荷電制御部７に実装することにより、粒子分取装置１に実施させてもよい。また、粒子分取装置１の荷電制御部７には、「粒子非含有液滴モード」のプログラムと併せて、「粒子含有液滴モード」を実現するためのプログラムを実装することもできる。
【００４９】
なお、前述した第１の実施形態では、マイクロチップ２を用いた場合を例に説明したが、本開示はこれに限定されるものではなく、マイクロチップ２の代わりにフローセルを用いても同様の効果が得られる。
【００５０】
以上詳述したように、本実施形態の粒子分取装置では、粒子非含有液滴に電荷が付与されるよう荷電部を制御する「粒子非含有液滴モード」を実行する第１荷電制御部を備えている。「粒子非含有液滴モード」を行うと、粒子や異物の混入のない液滴のみを、回収容器や基材の反応部位に分配することができる。その後、例えば「粒子含有液滴モード」により粒子の分取を行うことにより、対象とする粒子を純度よく分取することができる。その結果、従来の粒子分取装置よりも、分取純度を向上させることが可能となる。
【００５１】
また、本開示は、以下のような構成をとることもできる。
（１）
流体ストリームを発生するオリフィスから吐出された液滴の少なくとも一部に電荷を付与する荷電部と、
粒子非含有液滴に電荷が付与されるよう前記荷電部を制御する第１荷電制御部と、
を有する粒子分取装置。
（２）
前記オリフィスに連通し、少なくともシース液が通流する流路に光を照射し、該光照射により生じる散乱光を検出する散乱光検出部を有し、
前記第１荷電制御部は、前記散乱光検出部における検出結果に基づいて、前記液滴に粒子が含まれているか否かを判断する（１）に記載の粒子分取装置。
（３）
前記散乱光が前方散乱光である（２）に記載の粒子分取装置。
（４）
前記第１荷電制御部は、前記散乱光の強度が予め設定された閾値以下である場合に、前記液滴に電荷が付与されるよう前記荷電部を制御する（２）又は（３）に記載の粒子分取装置。
（５）
前記第１荷電制御部は、特定領域及び／又は特定時間において、前記散乱光が検出されなかった場合に、前記液滴に電荷が付与されるよう前記荷電部を制御する（２）〜（４）のいずれかに記載の粒子分取装置。
（６）
更に、粒子含有液滴に電荷が付与されるよう前記荷電部を制御する第２荷電制御部を有し、前記第１荷電制御部による制御と、前記第２荷電制御部による制御が、任意に選択可能となっている（１）〜（５）のいずれかに記載の粒子分取装置。
（７）
流体ストリームを発生するオリフィスから吐出された液滴のうち、粒子非含有液滴に対して選択的に電荷を付与する工程を有する粒子分取方法。
（８）
更に、流体ストリームを発生するオリフィスから吐出された液滴のうち、粒子含有液滴に対して選択的に電荷を付与する工程を有する（７）に記載の粒子分取方法。
（９）
前記粒子非含有液滴に電荷を付与する工程の後、前記粒子含有液滴に電荷を付与する工程を行う（８）に記載の粒子分取方法。
（１０）
前記粒子非含有液滴に電荷を付与する工程と、前記粒子含有液滴に電荷を付与する工程とを、任意に選択して行う（８）に記載の粒子分取方法。
（１１）
流体ストリームを発生するオリフィスから吐出された液滴のうち、粒子非含有液滴に対して選択的に電荷を付与する機能を
粒子分取装置の荷電制御部に実行させるプログラム。
【符号の説明】
【００５２】
１  粒子分取装置
２  マイクロチップ
３  振動素子
４  荷電部
５ａ、５ｂ  偏向板
６ａ、６ｂ  回収容器
７  荷電制御部
２１  オリフィス
２２  サンプルインレット
２３  シースインレット
２４  吸引アウトレット
４１  電極
４２  電圧供給部
７０ａ、７０ｂ  判定時間
７１ａ、７１ｂ  判定領域
Ｓ  流体ストリーム
【図１】
2015078927.tif 000003
【図２】
2015078927.tif 000004
【図３】
2015078927.tif 000005